(57)【要約】【課題】操作力を低減させてスライドバーの操作感を軽快にするとともに、開時のスライドバーのスライドスピードを低減させて安全性を向上させたスクリーン装置を提供すること。【解決手段】スライドガイド枠３の展出および収納に連動して高さ方向に移動する錘９が設けられ、錘は、位置エネルギーの増加によってスライドガイド枠の収納を制動するとともに、位置エネルギーの減少によってスライドガイド枠の展出を促進させる。【選択図】図１
2008121252.tif 000002
【特許請求の範囲】
【請求項１】
固定枠に対してスライド可能なスライドバーからの展出と収納が自在とされた一対のスライドガイド枠間に回転可能なローラーパイプが配置され、ローラーパイプはスライドバーのスライド方向のスライドも可能とされ、ローラーパイプには２枚のスクリーンの一端部が固定され、スクリーンのローラーパイプの周りへの巻取りと引出しが可能とされ、ローラーパイプはコイルバネを内蔵し、スライドバーをスライドさせてスクリーンを引き出す際に、ローラーパイプは回転するとともにスライドバーのスライド方向にスライドし、コイルバネに弾性復元力が蓄積され、蓄積された弾性復元力の解放によりスクリーンがローラーパイプの周りに巻き取られ、ローラーパイプは固定枠側にスライドし、スライドバーも固定枠側へスライドするスクリーン装置であって、スライドガイド枠の展出および収納に連動して高さ方向に移動する錘が設けられ、錘は、位置エネルギーの増加によってスライドガイド枠の収納を制動するとともに、位置エネルギーの減少によってスライドガイド枠の展出を促進させることを特徴とするスクリーン装置。
【請求項２】
錘はスライドバーに内蔵されていることを特徴とする請求項１に記載のスクリーン装置。
【請求項３】
スライドガイド枠は固定枠からも展出と収納が自在とされ、錘は、スライドバーまたは固定枠の少なくともいずれか一方に内蔵されていることを特徴とする請求項１に記載のスクリーン装置。
【発明の詳細な説明】
【技術分野】
【０００１】
本発明は、カーテン、ブラインド、網戸、さらに、間仕切り等として用いることのできるスクリーン装置に関する。
【背景技術】
【０００２】
多用途のスクリーン装置について、本出願人は、開閉操作が容易かつスムーズで安定するものを提案している（特許文献１）。
【０００３】
図５に示したように、スクリーン装置には、固定枠１に対してスライド可能なスライドバー２が設けられている。また、一対のスライドガイド枠３が設けられ、スライドガイド枠３は、スライドバー２のスライドにともなってスライドバー２から展出するとともに、スライドバー２の内部に収納される。一対のスライドガイド枠３間には、回転可能なローラーパイプ４が配置されている。ローラーパイプ４は、スライドガイド枠３に沿ったスライドも可能とされている。ローラーパイプ４には２枚のスクリーン５の一端部が固定されている。ローラーパイプ４が、図５に示した１本の場合、一端部がローラーパイプ４に固定されたスクリーン５の内の１枚のスクリーン５の他端部がスライドバー２に固定され、他の１枚のスクリーン５の他端部は固定枠１に固定される。２枚のスクリーン５は、スクリーン装置の開時にはローラーパイプ４の周りに巻き取られるようになっている。ローラーパイプ４にはコイルバネが内蔵されており、スクリーン装置の閉時に、スライドバー２をスライドさせ、スクリーン５を引き出すと、ローラーパイプ４は回転するとともにスライドバー２のスライド方向にスライドし、コイルバネに弾性復元力が蓄積される。スクリーン装置の開時には、コイルバネに蓄積された弾性復元力が解放されることによりローラーパイプ４が逆回転し、スクリーン５を巻き取り、固定枠１側へスライドし、スライドバー２を固定枠１側へとスライドさせる。
【０００４】
スライドガイド枠３は、複数の剛性ユニット６が連結して形成され、一方向へは屈曲可能であるが、他方向へは屈曲せず、直線性を保持するものであり、固定枠１に一端部が固定されている。スライドガイド枠３の他端部は自由端とされ、スライドバー１からの展出と収納が自在となっている。
【特許文献１】特開２００５−３５１０４６号公報
【発明の開示】
【発明が解決しようとする課題】
【０００５】
上記のスクリーン装置については、その性能の向上のために以下の通りの改善点が見出された。
【０００６】
ローラーパイプ４に内蔵されたコイルバネによりスライドバー２は常に固定枠１側に引っ張られた状態にある。このため、スクリーン装置の閉時にローラーパイプ４の周りに巻き取られているスクリーン５を引き出す際には、コイルバネのスクリーン５を巻き取る力以上の操作力が必要であり、その結果、スライドバー２の操作感が重いものとなっていた。この傾向は、スクリーン装置の閉時においてスクリーン５が風圧により撓むのを防止するためにスクリーン５の張力を巻取りに要する力以上に大きくすると顕著となる。
【０００７】
また、そのようにスライドバー２は常に固定枠１側に引っ張られているため、スクリーン装置の開時にスライドバー２の自動スライドが可能であるものの、スライドバー２が勢いよくスライドし、安全性に欠けるきらいがあった。
【０００８】
本発明は、以上の通りの事情に鑑みてなされたものであり、操作力を低減させてスライドバーの操作感を軽快にするとともに、開時のスライドバーのスライドスピードを低減させて安全性を向上させたスクリーン装置を提供することを課題としている。
【課題を解決するための手段】
【０００９】
本発明のスクリーン装置は、上記の課題を解決するために、以下のことを特徴としている。
【００１０】
第１に、固定枠に対してスライド可能なスライドバーからの展出と収納が自在とされた一対のスライドガイド枠間に回転可能なローラーパイプが配置され、ローラーパイプはスライドバーのスライド方向のスライドも可能とされ、ローラーパイプには２枚のスクリーンの一端部が固定され、スクリーンのローラーパイプの周りへの巻取りと引出しが可能とされ、ローラーパイプはコイルバネを内蔵し、スライドバーをスライドさせてスクリーンを引き出す際に、ローラーパイプは回転するとともにスライドバーのスライド方向にスライドし、コイルバネに弾性復元力が蓄積され、蓄積された弾性復元力の解放によりスクリーンがローラーパイプの周りに巻き取られ、ローラーパイプは固定枠側にスライドし、スライドバーも固定枠側へスライドするスクリーン装置であって、スライドガイド枠の展出および収納に連動して高さ方向に移動する錘が設けられ、錘は、位置エネルギーの増加によってスライドガイド枠の収納を制動するとともに、位置エネルギーの減少によってスライドガイド枠の展出を促進させる。
【００１１】
第２に、上記第１の特徴において、錘はスライドバーに内蔵されている。
【００１２】
第３に、上記第１の特徴において、スライドガイド枠は固定枠からも展出と収納が自在とされ、錘は、スライドバーまたは固定枠の少なくともいずれか一方に内蔵されている。
【発明の効果】
【００１３】
上記第１の発明によれば、スライドガイド枠の展出および収納に連動して高さ方向に移動する錘は、位置エネルギーの増加によってスライドガイド枠の収納を制動するため、スクリーン装置の開時におけるスライドバーのスライドスピードを低減させることができる。したがって、スクリーン装置の安全性が向上する。
【００１４】
また、錘は、位置エネルギーの減少によってスライドガイド枠の展出を促進させるため、スクリーン装置の閉時においてスライドバーに加える操作力を低減させることができ、操作感が軽快となる。
【００１５】
上記第２の発明によれば、上記の第１の発明の効果に加え、錘はスライドバーに内蔵されるので、外観を従前通りの良好なものに保つことができるとともに、スライドバーに形成されたスライドガイド枠用の収納空間を錘の内蔵に有効に利用することができる。
【００１６】
上記第３の発明によれば、上記の第１の発明の効果に加え、スライドガイド枠は固定枠からも展出と収納が自在とされているので、スライドガイド枠の展出長さがスライドバーの長さのみに制約されず、長くなる。このようなスクリーン装置において、錘は、スライドバーまたは固定枠の少なくともいずれか一方に内蔵されるため、外観を従前通り良好に保ちつつ、スライドバーまたは固定枠に形成されたスライドガイド枠用の収納空間を錘の内蔵に有効に利用することができる。
【発明を実施するための最良の形態】
【００１７】
図１は、本発明のスクリーン装置の一実施形態を示した一部切欠正面図である。
【００１８】
図１に示したスクリーン装置では、固定枠１に対して水平方向にスライド可能なスライドバー２が設けられている。スライドガイド枠３は、上下に一対として設けられており、各スライドガイド枠３は、複数の剛性ユニット６の連結によって形成されている。スライドガイド枠３は、一方向への屈曲が可能とされ、他方向には屈曲せず、直線性を保つようになっている。スライドガイド枠３の両端部は自由端とされ、スライドバー２と固定枠１の両方に展出および収納可能となっている。すなわち、スライドガイド枠３は、スライドバー２のスライドにともなってスライドバー２および固定枠１から展出し、また、スライドバー２および固定枠１の内部に収納される。展出した状態において、スライドガイド枠３は、それぞれ、スクリーン装置の上枠、下枠を構成する。
【００１９】
一対のスライドガイド枠３間には、回転可能なローラーパイプ４が配置されている。ローラーパイプ４は、スライドバー２のスライド方向のスライドも可能とされている。ローラーパイプ４には２枚のスクリーン５の一端部が固定されている。各スクリーン５の他端部は、スライドバー２、固定枠１のそれぞれに固定され、スクリーン５はローラーパイプ４の周りに巻き取られるようになっている。ローラーパイプ４は、コイルバネ７を内蔵している。スクリーン装置の閉時にスライドバー２を水平方向にスライドさせると、ローラーパイプ４が回転し、スクリーン５がローラーパイプ４から引き出される。同時に、スライドガイド枠３がスライドバー２および固定枠１から展出する。スライドバー２のスライドにともなってローラーパイプ４はスライドガイド枠３の展出方向にスライドする。この時、ローラーパイプ４に内蔵されたコイルバネ７には弾性復元力が蓄積される。このため、スクリーン装置の閉時には、スクリーン装置は開く方向に常に付勢されるようになっている。
【００２０】
スクリーン装置の開時にはコイルバネ７に蓄積された弾性復元力を解放させる。すると、ローラーパイプ４は逆回転し、周りにスクリーン５を巻き取りながらスライドガイド枠３の収納方向、すなわち、固定枠１側にスライドする。この時、スクリーン５が固定されているスライドバー２も固定枠１側へスライドする。スライドガイド枠３は、スライドバー２および固定枠１の内部に収納される。
【００２１】
図１に示したスクリーン装置では、スライドガイド枠３の一端部を固定枠１に固定せず、両端部を自由端としているため、スクリーン装置の開時には、スライドバー２のみならず、固定枠１の内部にもスライドガイド枠３を収納することができる。したがって、スライドガイド枠３の展出長さは、スライドバー２の長さの略半分と固定枠１の長さの略半分をたし合わせた長さにまで延長され、スクリーン装置の開閉幅の、開閉幅に直行する方向の長さ、すなわち、スクリーン装置の高さに対する比が、図５に示したスクリーン装置に比べ拡大している。このため、スクリーン装置の設計の自由度が増している。
【００２２】
上下のスライドガイド枠３は、その自由端において、８の字状のループを形成している紐等の張力部材８により結ばれている。張力部材８は、スライドガイド枠３のスムーズで安定した展出および収納を可能とするために設けられており、スライドバー２、固定枠１のそれぞれに内蔵されている。
【００２３】
また、図１に示したスクリーン装置では、下側に配置されたスライドガイド枠３の自由端のそれぞれに錘９が載置されている。錘９は、スライドバー２および固定枠１に形成されたスライドガイド枠３用の収納空間１０に内蔵されている。錘９は、図２に示したように、スライドバー２および固定枠１に形成されたスライドガイド枠３用の収納空間１０に対応した断面形状を有し、収納空間１０に配設された張力部材８と干渉しないように凹部１１が形成されている。このため、錘９は、スライドバー２および固定枠１に形成された収納空間１０において上下方向、すなわち、高さ方向に移動可能であり、この高さ方向の移動は、錘９がスライドガイド枠３の自由端に載置されているため、スライドガイド枠３の展出および収納に連動する。
【００２４】
上記の通り、スライドバー２は、ローラーパイプ４に内蔵されたコイルバネ７により常に固定枠１側に引っ張られた状態にあり、コイルバネ７がスクリーン５を巻き取る力は、スライドガイド枠３をスライドバー２および固定枠１に収納する方向、すなわち、自由端においては上昇させる方向に作用する。これに対し、錘９に作用する重力は、スライドガイド枠３の自由端を下降させるように作用する。したがって、コイルバネ７がスクリーン５を巻き取る力の一部は、錘９に作用する重力によって相殺される。つまり、コイルバネ７がスクリーンを巻き取る力が行うスライドガイド枠３をスライドバー２および固定枠１に収納させる仕事の一部が錘９の位置エネルギーの増加に消費される。このように、錘９は位置エネルギーの増加によってスライドガイド枠３の収納を制動する。したがって、スクリーン装置の開時にコイルバネ７に蓄積された弾性復元力が解放されても、錘９の位置エネルギーの増加によってスライドガイド枠３の収納が制動され、スライドガイド枠３の収納スピードが減速するため、スライドバー２のスライドが緩やかとなり、勢いよく固定枠１側へスライドすることはない。スクリーン装置の閉時にスクリーン５が風圧により撓むのを防止するためにスクリーン５の張力を巻取りに要する力以上に大きくしても、錘９の質量を調節することによってスライドバー２のスライドスピードを調節することができる。スクリーン装置の開時にスライドバー２が勢いよく固定枠１側へスライドすることはなく、スクリーン装置の安全性が向上している。
【００２５】
また、錘９に作用する重力は、スライドガイド枠３の自由端を下降させる方向、すなわち、スライドガイド枠３を展出させるように作用する。したがって、コイルバネ７がスクリーン５を巻き取る力の一部は、錘９に作用する重力によって相殺される。つまり、錘９は、位置エネルギーの減少によってスライドガイド枠３の展出を促進させる。このため、スクリーン装置の閉時にスライドバー２に加える操作力を低減させることができ、スライドバー２の操作感が軽快となる。
【００２６】
実際、スクリーン５を引き出すときの最大トルクが３ｋｇ・ｃｍであるコイルバネ７を外径２０ｍｍのローラーパイプ４に内蔵し、下側のスライドガイド枠３の自由端のそれぞれに３００ｇの真ちゅう製の錘９を載置し、スライドバー２および固定枠１に形成されたスライドガイド枠３用の収納空間１０に内蔵した。
【００２７】
錘９が配設されていないスクリーン装置では、スクリーン５を引き出すためにスライドバー２に加える操作力は最大３．２ｋｇｆであったが、上記の通りの錘９の配設により、２．６ｋｇｆに低減させることができた。また、スクリーン装置の開時のスライドバー２のスライドスピードは遅くなり、固定枠１付近では錘９に作用する重力とコイルバネ７のスクリーン５を巻き取る力がつりあったため、スライドバー２のスライドスピードはほぼ０になった。
【００２８】
なお、スライドガイド枠３がスライドバー２とともに固定枠１からも展出と収納が自在とされたスクリーン装置では、錘９は、スライドバー２または固定枠１の少なくともいずれか一方に内蔵されていればよく、必ずしもスライドバー２および固定枠１の両方に設ける必要はない。錘９として要求される質量が実現されれば、スライドバー２または固定枠１のいずれか一方に内蔵することができる。したがって、図５に示した一端部が自由端とされ、スライドバー２からの展出および収納が可能とされ、他端部が固定枠１に固定されたスクリーン装置では、錘９はスライドバー２に内蔵することができる。
【００２９】
また、錘９は、スライドバー２または固定枠１の少なくともいずれか一方に内蔵されるため、外観を従前通り良好に保ちつつ、スライドバー２または固定枠１に形成されたスライドガイド枠３用の収納空間１０を錘９の内蔵に有効に利用することができる。
【００３０】
錘９の配設については、本発明のスクリーン装置では、その形態が、図１に示したスライドガイド枠３の自由端への載置に制限されない。
【００３１】
たとえば図３に示したように、下側のスライドガイド枠３の自由端に紐等の張力部材１２の一端部を結び付け、スライドバー２のスライドガイド枠３用の収納空間１０において下端部および上端部にプーリー等の方向転換部材１３を配設し、張力部材１２を下側の方向転換部材１３から上側の方向転換部材１３に掛け渡し、上側の方向転換部材１３から垂下する張力部材１２の他端部に錘９を固定することができる。
【００３２】
この場合にも、スライドガイド枠３の展出および収納に連動して錘９は、スライドバー２のスライドガイド枠３用の収納空間１０を高さ方向に移動することができ、スライドガイド枠３の収納時には、錘９は上方に引き上げられるので、錘９の位置エネルギーが増加する。スライドガイド枠３の展出時には、錘９は下降するので、位置エネルギーが減少する。したがって、錘９は、位置エネルギーの増加によってスライドガイド枠３の収納を制動するとともに、位置エネルギーの減少によってスライドガイド枠３の展出を促進させる。
【００３３】
また、図４に示したように、錘９は、上側のスライドガイド枠３の収納を制動し、展出を促進させることもできる。図４に示したスクリーン装置では、上側のスライドガイド枠３の自由端に紐等の張力部材１２の一端部が結び付けられ、スライドバー２のスライドガイド枠３用の収納空間１０において上端部にプーリー等の方向転換部材１３が配設され、張力部材１２が方向転換部材１３に掛けられ、垂下する張力部材１２の他端部に錘９が固定されている。
【００３４】
この場合にも、スライドガイド枠３の展出および収納に連動して錘９は、スライドバー２のスライドガイド枠３用の収納空間１０を高さ方向に移動することができ、スライドガイド枠３の収納時には、錘９は上方に引き上げられるので、錘９の位置エネルギーが増加する。スライドガイド枠３の展出時には、錘９は下降するので、位置エネルギーが減少する。したがって、錘９は、位置エネルギーの増加によってスライドガイド枠３の収納を制動するとともに、位置エネルギーの減少によってスライドガイド枠３の展出を促進させる。
【００３５】
このように、上側のスライドガイド枠３の収納を制動し、展出を促進させる錘９は、スライドガイド枠３の自由端に張力部材１２を介さずに直接固定することもできる。また、錘９によるスライドガイド枠３の収納の制動および展出の促進は一方のスライドガイド枠３に対してでなく、両方のスライドガイド枠３に対して行うこともできる。ローラーパイプ４に内蔵されたコイルバネ７のスクリーン５を巻き取る力の大きさ等に応じて適宜選択することができる。
【００３６】
なお、錘９の内蔵は、スライドバー２および固定枠１に形成されたスライドガイド枠３用の収納空間１０の有効利用として有意義であるが、その一方で、錘９の内蔵によって収納空間１０の上下方向の長さが縮小されるので、スライドガイド枠３の展出長さを十分延長させるためには、図１に示したスクリーン装置では、錘９は、スライドバー２、固定枠１のそれぞれに１個ずつ配設するのが好ましい。
【００３７】
また、図１に示したスクリーン装置には、スクリーン装置を閉状態に保持させるためのストッパー機構が設けられている。ストッパー機構は、固定枠１に対向して配置された縦枠１４に取り付けられ、上下にスライドするレバー１５と、スライドバー２に設けられた開口部材１６とを有している。開口部材１６は開口１７を備えている。開口１７に対向してレバー１５には横方向に突出するフック１８が設けられている。フック１８はレバー１５と一体となっており、レバー１５のスライドにともなってフック１８も上下に移動する。
【００３８】
スクリーン装置の閉時にスライドバー２を縦枠１４までスライドさせると、開口部材１６の開口１７にフック１８が入り込み、先端が、開口１７の周縁の開口部材１６に引っ掛かる。この引っ掛かりにより、スクリーン装置は開く方向に付勢されているものの、スライドバー２の移動が制止され、スクリーン装置は閉状態を安定に保持する。
【００３９】
スクリーン装置を開ける際には、レバー１５を上向きに押し上げる。すると、フック１８が上に移動し、先端が開口１７の周縁から外れ、引っ掛かりが解除される。スライドバー２の固定枠１側へのスライドが可能となる。なお、レバー１５には、下向きに付勢するバネ等の弾性部材を接続することができ、フック１８の引っ掛かりの解除にともなって、レバー１５を初期位置に自動的に復帰させることができる。
【図面の簡単な説明】
【００４０】
【図１】本発明のスクリーン装置の一実施形態を示した一部切欠正面図である。
【図２】図１に示したスクリーン装置における錘のスライドバーおよび固定枠への内蔵の形態を示した断面図である。
【図３】本発明のスクリーン装置における錘の配設形態を例示した要部概略断面図である。
【図４】本発明のスクリーン装置における錘の配設形態を例示した要部概略断面図である。
【図５】先に提案したスクリーン装置の一部切欠正面図である。
【符号の説明】
【００４１】
１  固定枠
２  スライドバー
３  スライドガイド枠
４  ローラーパイプ
５  スクリーン
７  コイルバネ
９  錘
【図２】
2008121252.tif 000003
【図３】
2008121252.tif 000004
【図４】
2008121252.tif 000005
【図５】
2008121252.tif 000006
【図１】
2008121252.tif 000007